(57)【要約】【課題】排煙処理塔内のエネルギー回収率をさらに高めることができる排熱回収システムおよび排熱回収方法を提供すること。【解決手段】焼却炉１からの排ガスを排煙処理塔５に供給して洗煙水の熱エネルギーを用いて発電する排熱エネルギー回収変換装置１０を有した排熱回収システムであって、排煙処理塔５は、塔内下部の洗煙水Ｗを循環して排ガスＧ１を水洗浄させ、洗煙循環路Ｒを流れる洗煙水Ｗの熱エネルギーを回収する洗煙熱交換器２１を備え、入力された排ガスＧ１は、洗煙熱交換器２１によって冷却された洗煙冷却水Ｗ１の散水によって水洗浄される。排煙処理塔５内において、洗煙水Ｗの温度を、後段の排熱エネルギー回収変換装置１０の稼働可能温度以上、排ガスＧ１における飽和絶対湿度に基づく温度未満に制御して、排ガスＧ１に含まれる水蒸気の潜熱も回収する。【選択図】図２
2013213658.tif 000002
【特許請求の範囲】
【請求項１】
焼却炉からの排ガスの熱を熱交換する排ガス用熱交換器と、前記排ガスを処理する排煙処理塔とを備え、前記排ガス用熱交換器と前記排煙処理塔とを介して排ガス処理する際に得られる加熱空気および排煙処理塔における洗煙水の熱エネルギーを回収して他のエネルギーに変換する排熱エネルギー回収変換装置を有し、
前記排煙処理塔が、塔内下部に溜まった前記洗煙水を循環させて前記排ガスを水洗浄する洗煙循環路上に、前記洗煙循環路を流れる洗煙水の熱エネルギーを回収して前記回収した熱エネルギーを前記排熱エネルギー回収変換装置に供給するための洗煙熱交換器を備え、入力された前記排ガスが、前記洗煙熱交換器によって冷却された洗煙冷却水の散水によって水洗浄される排熱回収システムであって、
前記排煙処理塔が、前記洗煙冷却水の散水によって水洗浄された排ガスを冷却する処理水を入力可能に構成されているとともに、排ガスを冷却した後の処理水に対して、前記洗煙水に混合および外部に排出の少なくとも一方を選択する供給先選択手段を有し、
前記洗煙水の温度が前記排熱エネルギー回収変換装置の稼働可能温度以上前記排ガスにおける飽和絶対湿度に基づく温度未満に維持されるように前記供給先選択手段を制御する制御手段を備える
ことを特徴とする排熱回収システム。
【請求項２】
前記排熱エネルギー回収変換装置は、水よりも低沸点の媒体を用いた熱サイクルを形成することを特徴とする請求項１に記載の排熱回収システム。
【請求項３】
前記排熱エネルギー回収変換装置は、前記熱サイクル上に蒸気タービンを配置し、該蒸気タービンに接続された発電機を介して電力を出力し、または該蒸気タービンの回転動力を出力することを特徴とする請求項２に記載の排熱回収システム。
【請求項４】
前記熱サイクル上に配置された凝縮器に用いられた凝縮用冷却水の凝縮後処理水を、前記排煙処理塔上部に供給される冷却用の処理水として用いることを特徴とする請求項２または３に記載の排熱回収システム。
【請求項５】
焼却炉からの排ガスの熱を熱交換する排ガス用熱交換器と、前記排ガスを処理する排煙処理塔とを備え、前記排ガス用熱交換器と前記排煙処理塔とを介して排ガス処理する際に得られる加熱空気および排煙処理塔における洗煙水の熱エネルギーを回収して他のエネルギーに変換する排熱エネルギー回収変換装置を有する排熱回収システムにおいて、前記排煙処理塔内下部に溜まった前記洗煙水を循環させて前記排ガスを水洗浄する洗煙循環路上で、前記洗煙循環路を流れる洗煙水の熱エネルギーを回収して、前記回収した熱エネルギーを前記排熱エネルギー回収変換装置に供給するとともに、熱エネルギーの回収によって冷却された洗煙冷却水の散水によって前記排ガスを水洗浄する排熱回収方法であって、
前記排煙処理塔に、前記洗煙冷却水の散水によって水洗浄された排ガスを冷却する処理水を入力し、排ガスを冷却した後の処理水に対して、前記洗煙水の温度が前記排熱エネルギー回収変換装置の稼働可能温度以上前記排ガスにおける飽和絶対湿度に基づく温度未満に維持されるように、前記洗煙水に混合および外部に排出の少なくとも一方を選択的に制御する
ことを特徴とする排熱回収方法。
【請求項６】
前記排熱エネルギー回収変換装置は、水よりも低沸点の媒体を用いた熱サイクルを形成することを特徴とする請求項５に記載の排熱回収方法。
【請求項７】
前記排熱エネルギー回収変換装置は、前記熱サイクル上に蒸気タービンを配置し、該蒸気タービンに接続された発電機を介して電力を出力し、または該蒸気タービンの回転動力を出力することを特徴とする請求項６に記載の排熱回収方法。
【請求項８】
前記熱サイクル上に配置された凝縮器に用いられた凝縮用冷却水の凝縮後処理水を、前記排煙処理塔上部に供給される冷却用の処理水として用いることを特徴とする請求項６または７に記載の排熱回収方法。
【発明の詳細な説明】
【技術分野】
【０００１】
本発明は、焼却炉からの排ガスを排ガス用熱交換器及び排煙処理塔を介して排ガス処理する際に得られる加熱空気および排煙処理塔の洗煙水の熱エネルギーを回収して他のエネルギーに変換する排熱エネルギー回収変換装置を有した排熱回収システムおよび排熱回収方法に関する。
【背景技術】
【０００２】
下水汚泥焼却炉等の焼却炉の排ガスは８００〜８５０℃程度の高温の排ガスである。このため特許文献１に示すようにこの高温の排ガスを廃熱ボイラに導いて水蒸気を発生させ、蒸気タービンにより発電機を回転させて排熱発電を行わせることが提案されている。しかし設備投資額に見合う発電量が得られず、さらなる高いエネルギー回収率をもつシステムが要望されている。
【０００３】
このため、一般的な焼却プラントでは、焼却炉から排出される高温の排ガスを、白煙防止空気予熱器やその他の熱交換器に通して排熱の一部を回収したうえ、集塵機においてダストを分離除去し、更に排煙処理塔に通して水洗浄を行い、排ガス中のＨＣｌ，ＳＯＸ等の成分を除去する排ガス処理のみが行われているのが普通である。
【０００４】
なお、焼却炉が流動焼却炉である場合には白煙防止空気予熱器の前段に流動空気予熱器が設置されることがある。また、集塵機がセラミックフィルタである場合には約４００℃程度の高温集塵が可能であるが、バグフィルタである場合には冷却塔において２００℃以下にまで降温したうえで集塵を行っている。
【０００５】
このような通常の排ガス処理システムにおいては、排煙処理塔において２００〜４００℃の排ガスが約３０℃にまで冷却される一方、洗煙排水は５０〜７５℃で排出される。この洗煙排水は比較的低温ではあるが水の比熱が大きいために熱量は大きく、排ガスの持つ熱量の５０％を超える。このエネルギーは、従来温水プール等に利用する以外にはほとんど無駄に排出されており、その有効利用が期待されている。しかしながら温度域が５０〜７５℃の低レベルであるため、有効利用は困難とされてきた。
【先行技術文献】
【特許文献】
【０００６】
【特許文献１】特開２００５−３２１１３１号公報
【特許文献２】特開２０１０−１７４８４５号公報
【特許文献３】特開昭５１−１０８１４５号公報
【発明の概要】
【発明が解決しようとする課題】
【０００７】
このため、特許文献２では、従来は無駄に排出されていた排煙処理塔の洗煙排水の保有熱を有効に利用し、電力としてエネルギーを回収することができる焼却炉の排ガスによる排熱発電方法が記載されている。
【０００８】
この特許文献２に記載された排熱発電方法では、捨てられる洗煙排水の保有熱を回収するようにしている。ところが、排ガス中の水蒸気を凝縮し排出するためには、排煙処理塔内で循環される洗煙水により、入力された排ガスを露点温度未満とする必要がある。この場合、循環される洗煙水は、排ガスの保有熱によって温度上昇し、露点温度未満を維持できなくなるため、外部から洗煙水に冷却水を供給する必要があり、この冷却水による洗煙排水の温度低下でのエネルギー損失も無視できない。
【０００９】
また、本発明者の知見によれば、排ガス中に含まれる水蒸気の潜熱は、排ガスの顕熱に比して極めて高い熱エネルギーを有する。具体的には、排ガスに含まれる水蒸気の潜熱は６００ｋｃａｌ／ｋｇであるのに対し、排ガス中の水蒸気の顕熱は０．４ｋｃａｌ／ｋｇ・Ｋ、水蒸気以外の乾燥ガスの顕熱は０．２５ｋｃａｌ／ｋｇ・Ｋである。そのため、この水蒸気の潜熱の熱エネルギーを回収できれば、排煙処理塔の洗煙排水の保有熱をより有効に利用できる。
【００１０】
本発明は、上記に鑑みてなされたものであって、その目的は、排ガスにおける顕熱の熱エネルギーのみならず、排ガスに含まれる水蒸気における潜熱の熱エネルギーをも回収することができ、排煙処理塔内のエネルギー回収率をさらに高めることができる排熱回収システムおよび排熱回収方法を提供することにある。
【課題を解決するための手段】
【００１１】
上述した課題を解決し、目的を達成するために、本発明に係る排熱回収システムは、焼却炉からの排ガスの熱を熱交換する排ガス用熱交換器と、排ガスを処理する排煙処理塔とを備え、排ガス用熱交換器と排煙処理塔とを介して排ガス処理する際に得られる加熱空気および排煙処理塔における洗煙水の熱エネルギーを回収して他のエネルギーに変換する排熱エネルギー回収変換装置を有し、排煙処理塔が、塔内下部に溜まった洗煙水を循環させて排ガスを水洗浄する洗煙循環路上に、洗煙循環路を流れる洗煙水の熱エネルギーを回収して回収した熱エネルギーを排熱エネルギー回収変換装置に供給するための洗煙熱交換器を備え、入力された排ガスが、洗煙熱交換器によって冷却された洗煙冷却水の散水によって水洗浄される排熱回収システムであって、排煙処理塔が、洗煙冷却水の散水によって水洗浄された排ガスを冷却する処理水を入力可能に構成されているとともに、排ガスを冷却した後の処理水に対して、洗煙水に混合および外部に排出の少なくとも一方を選択する供給先選択手段を有し、洗煙水の温度が排熱エネルギー回収変換装置の稼働可能温度以上排ガスにおける飽和絶対湿度に基づく温度未満に維持されるように供給先選択手段を制御する制御手段を備えることを特徴とする。
【００１２】
また、本発明に係る排熱回収システムは、上記の発明において、排熱エネルギー回収変換装置は、水よりも低沸点の媒体を用いた熱サイクルを形成することを特徴とする。
【００１３】
また、本発明に係る排熱回収システムは、上記の発明において、排熱エネルギー回収変換装置は、熱サイクル上に蒸気タービンを配置し、該蒸気タービンに接続された発電機を介して電力を出力し、または該蒸気タービンの回転動力を出力することを特徴とする。
【００１４】
また、本発明に係る排熱回収システムは、上記の発明において、熱サイクル上に配置された凝縮器に用いられた凝縮用冷却水の凝縮後処理水を、排煙処理塔上部に供給される冷却用の処理水として用いることを特徴とする。
【００１５】
また、本発明に係る排熱回収方法は、焼却炉からの排ガスの熱を熱交換する排ガス用熱交換器と、排ガスを処理する排煙処理塔とを備え、排ガス用熱交換器と排煙処理塔とを介して排ガス処理する際に得られる加熱空気および排煙処理塔における洗煙水の熱エネルギーを回収して他のエネルギーに変換する排熱エネルギー回収変換装置を有する排熱回収システムにおいて、排煙処理塔内下部に溜まった洗煙水を循環させて排ガスを水洗浄する洗煙循環路上で、洗煙循環路を流れる洗煙水の熱エネルギーを回収して、回収した熱エネルギーを排熱エネルギー回収変換装置に供給するとともに、熱エネルギーの回収によって冷却された洗煙冷却水の散水によって排ガスを水洗浄する排熱回収方法であって、排煙処理塔に、洗煙冷却水の散水によって水洗浄された排ガスを冷却する処理水を入力し、排ガスを冷却した後の処理水に対して、洗煙水の温度が排熱エネルギー回収変換装置の稼働可能温度以上排ガスにおける飽和絶対湿度に基づく温度未満に維持されるように、洗煙水に混合および外部に排出の少なくとも一方を選択的に制御することを特徴とする。
【００１６】
また、本発明に係る排熱回収方法は、上記の発明において、排熱エネルギー回収変換装置は、水よりも低沸点の媒体を用いた熱サイクルを形成することを特徴とする。
【００１７】
また、本発明に係る排熱回収方法は、上記の発明において、排熱エネルギー回収変換装置は、熱サイクル上に蒸気タービンを配置し、該蒸気タービンに接続された発電機を介して電力を出力し、または該蒸気タービンの回転動力を出力することを特徴とする。
【００１８】
また、本発明に係る排熱回収方法は、上記の発明において、熱サイクル上に配置された凝縮器に用いられた凝縮用冷却水の凝縮後処理水を、排煙処理塔上部に供給される冷却用の処理水として用いることを特徴とする。
【発明の効果】
【００１９】
本発明によれば、排ガスにおける顕熱の熱エネルギーのみならず、排ガスに含まれる水蒸気における潜熱の熱エネルギーをも回収することができ、排煙処理塔内のエネルギー回収率をさらに高めることができる。
【図面の簡単な説明】
【００２０】
【図１】図１は、本発明の第１の実施形態による排熱回収システムを含む汚泥焼却システムの概要構成を示すブロック図である。
【図２】図２は、本発明の第１の実施形態による排煙処理塔およびその周辺の構成を示す模式図である。
【図３】図３は、本発明の第２の実施形態による排熱回収システムを含む汚泥焼却システムの概要構成を示すブロック図である。
【図４】図４は、排熱回収システムの変形例１の構成を示すブロック図である。
【図５】図５は、排熱回収システムの変形例２の構成を示すブロック図である。
【図６】図６は、排熱回収システムの変形例３の構成を示すブロック図である。
【発明を実施するための形態】
【００２１】
以下、本発明の実施形態について図面を参照しつつ説明する。なお、以下の実施形態の全図においては、同一または対応する部分には同一の符号を付す。また、本発明は以下に説明する実施形態によって限定されるものではない。
【００２２】
（第１の実施形態）
まず、本発明の第１の実施形態による排熱回収システムを含む汚泥焼却システムについて説明する。図１は、この第１の実施形態による排熱回収システムを含む汚泥焼却システムの概要構成を示すブロック図である。
【００２３】
図１に示すように、この汚泥焼却システムは、焼却炉１、流動空気予熱器２、白煙防止空気予熱器３、集塵機４、排煙処理塔５、煙突６、制御部７、温度センサ８、および排熱エネルギー回収変換装置１０を有する。
【００２４】
焼却炉１は、下水汚泥を焼却するための流動焼却炉であり、８００〜８５０℃程度の高温の排ガスを出力する。なお、焼却炉１は、流動焼却炉に限らず、循環焼却炉などの他の焼却方式のガス化炉でも良く、焼却対象も下水汚泥に限られない。
【００２５】
流動空気予熱器２は、焼却炉１からの排ガスが入力され、大気を例えば６５０℃の流動空気Ａ１に昇温して焼却炉１の炉底部に供給している。白煙防止空気予熱器３は、排ガス用熱交換器の一例であり、流動空気予熱器２の後段に配置され、流動空気予熱器２から出力された排ガスの熱エネルギーを用いて、煙突６から放出される排ガス中の水蒸気が白煙として見えることを防止するための加熱空気である白煙防止空気Ａ２を生成する。この白煙防止空気Ａ２の温度は、４００℃程度である。白煙防止空気予熱器３を通った排ガスは、２００〜４００℃程度まで温度が低下する。
【００２６】
温水発生器２２は、熱交換器であり、白煙防止空気Ａ２から一部の熱エネルギーを回収して排熱エネルギー回収変換装置１０に供給する。また、温水発生器２２は、温度低下した加熱空気を、ブロアＢを介して煙突６に供給する。また、温水発生器２２には調節弁Ｖ１が並列接続されている。そして、この調節弁Ｖ１を調整することによって、温水発生器２２による白煙防止空気Ａ２からの熱回収量を調整することができる。さらに、ブロアＢから送出される一部の加熱空気と新たな大気とが混合した加熱空気が白煙防止空気予熱器３に再供給される。
【００２７】
集塵機４は、白煙防止空気予熱器３の後段に配置され、白煙防止空気予熱器３から入力された排ガス内のダストを除去する。集塵機４は、耐熱性の優れたセラミック集塵機であり、白煙防止空気予熱器３を通過した排ガスの不純物をそのまま集塵することができる。集塵機４における排ガスの温度降下は小さく、集塵機４を通過した後の排ガスＧ１の温度は２００〜４００℃である。なお、集塵機４は、バグフィルタを使用するものであっても良い。この場合、バグフィルタの前段に冷却塔を配置してバグフィルタの耐熱温度まで降温することが必要である。
【００２８】
排煙処理塔５は、塔の下部から排ガスＧ１を導入し、上部の散水ノズル５ａから散水される水に接触させて排ガスＧ１中のＨＣｌ，ＳＯＸ等の成分を洗煙水Ｗに含ませて除去する装置である。この洗煙水Ｗは、排ガスを水洗浄するのに用いられた回収すべき熱を含んだ水であり、塔内下部に溜まって洗煙循環路Ｒおよび循環ポンプＰ１によって散水ノズル５ａに送水されて循環利用される。また、ポンプＰ１の後段には、洗煙熱交換器２１が設けられる。洗煙熱交換器２１は、排煙処理塔５内から排出された洗煙水Ｗから熱回収を行い、洗煙冷却水Ｗ１として散水ノズル５ａに送られる。この洗煙熱交換器２１によって熱回収された熱エネルギーは、排熱エネルギー回収変換装置１０側に供給される。また、洗煙水Ｗの濃度上昇を抑えるため、洗煙熱交換器２１と散水ノズル５ａとの間の洗煙循環路Ｒから洗煙冷却水Ｗ１の一部を分岐させ、洗煙排水Ｗ３として廃棄する。
【００２９】
ここで、上述した排煙処理塔５では、排ガスＧ１と洗煙冷却水Ｗ１とが接触するため、２００〜４００℃の排ガスＧ１の熱エネルギーのほとんどは洗煙水Ｗ側に移動する。なお、この洗煙水Ｗの温度は温度センサ８によって計測される。そして、この排ガスＧ１から回収した熱エネルギーをもつ洗煙水Ｗは、洗煙熱交換器２１によって回収され、回収された熱エネルギーが排熱エネルギー回収変換装置１０側に供給される。詳細は後述するが、この第１の実施形態においては、この洗煙水Ｗの温度を制御することによって、排ガスＧ１の顕熱の熱エネルギーのみならず、排ガスＧ１に含まれる水蒸気の潜熱の熱エネルギーをも回収する。
【００３０】
排煙処理塔５の上部には煙突６が配置され、排煙処理塔５内で洗浄された排ガスＧ２は、煙突６内で白煙防止処理が施された後、煙突６から大気に放出される。排煙処理塔５の上方であって、煙突６の前段には、処理水Ｗ４が給水される。この処理水Ｗ４は排ガスＧ２と十分に接触することにより、排ガスＧ２の水洗浄行う。この水洗浄済みの低温排水Ｗ５は、制御部７の制御によって開度の量が調整される供給先選択手段としての制御弁９によって、廃棄される量が制御される。すなわち、制御弁９の開度が０の場合、すなわち閉じた状態では、低温排水Ｗ５のすべてが洗煙水Ｗに混合される。制御弁９の開度が低温排水Ｗ５をすべて通過可能な開度の場合、低温排水Ｗ５のすべてが廃棄される。そして、制御弁９の開度がそれらの間の場合、すなわち開度が０でもなく低温排水Ｗ５がすべて通過可能な状態でもない場合には、低温排水Ｗ５の一部が排煙処理塔５の洗煙水Ｗに混合されるとともに、その残部が廃棄されたり、外部に排出されて再利用されたりする。
【００３１】
排熱エネルギー回収変換装置１０は、加熱空気である白煙防止空気Ａ２および排煙処理塔５の洗煙水Ｗの熱エネルギーを回収して他のエネルギーに変換する機能を有し、蒸発器１１、過熱器１２、蒸気タービン１３、凝縮器１４、発電機１５、および循環ポンプＰ４を有する。そして、蒸発器１１、過熱器１２、蒸気タービン１３、凝縮器１４、および循環ポンプＰ４により、水より低沸点のフロン、代替フロン、アンモニア、あるいはアンモニアと水との混合流体などの低沸点媒体を作動媒体Ｌとして循環させたランキンサイクルやカリーナサイクルなどの熱サイクルＳを形成する。フロンや代替フロンは、低沸点であるとともに、取扱いが容易であるため、好ましい。また、アンモニアは、元々自然界に存在する無色透明の低沸点媒体で、その蒸発温度は、大気下で−３３．３℃、４．０ＭＰａで７９．６℃であり、熱物性が良く、また、地球温暖化係数ゼロ、オゾン層破壊係数ゼロであり、環境負荷がほとんどないため好ましい。
【００３２】
蒸発器１１は、循環ポンプＰ２で循環する高温循環水Ｌ２を介して、洗煙熱交換器２１で回収された熱エネルギーを受け、作動媒体Ｌを蒸発させる。なお、蒸発器１１側から送られる高温循環水Ｌ２は、洗煙熱交換器２１で昇温されて蒸発器１１側に送られる。
【００３３】
過熱器１２は、循環ポンプＰ３で循環する温水Ｌ１を介して、温水発生器２２で回収された熱エネルギーを受け、作動媒体Ｌを過熱する。なお、過熱器１２側から送られる温水Ｌ１は、温水発生器２２で昇温されて過熱器１２に送られる。
【００３４】
蒸気タービン１３は、過熱器１２によって過熱された蒸気によって回転する。蒸気タービン１３の回転軸に接続された発電機１５は、蒸気タービン１３の回転によって発電して電力を出力する。なお、蒸気タービン１３の回転軸を直接または間接的にファンなどの回転機器に接続し、蒸気タービン１３の回転動力として出力するようにしても良い。また、蒸気タービン１３の回転軸を直接あるいは間接的に電動機などの回転駆動機器の回転軸に接続して、回転駆動機器の回転駆動をアシストするようにしても良い。
【００３５】
凝縮器１４は、ポンプＰ５から供給される冷却水Ｗ６によって、蒸気タービン１３から出力された蒸気を凝縮し、この凝縮した作動媒体Ｌを、循環ポンプＰ４によって蒸発器１１に供給する。なお、凝縮器１４に入力される冷却水Ｗ６は例えば２０℃程度であり、この冷却水Ｗ６は、凝縮熱によって昇温する。なお、蒸発器１１を予熱器として機能させ、過熱器１２を蒸発器として機能させても良い。
【００３６】
制御部７は、以上のそれぞれの設備を制御可能に構成された制御手段であり、入力される各種信号に基づいて、各設備に制御信号を供給することにより、各設備を制御可能に構成されている。
【００３７】
（排煙処理塔における洗煙水の温度制御）
次に、排煙処理塔５内における洗煙水Ｗに対する温度制御について説明する。図２は、図１中の排煙処理塔５およびその周辺部を示す模式図である。
【００３８】
図２に示すように、制御部７は、温度センサ８によって、洗煙水Ｗの温度を計測するとともに、この温度の計測値を制御部７に供給する。なお、排煙処理塔５の下部に溜まった洗煙水Ｗの代わりに排煙処理塔５から排出された洗煙水Ｗの温度を計測しても良い。そして、制御部７は、洗煙水Ｗの温度に応じて制御弁９を制御することにより、低温排水Ｗ５の排水量を制御する。
【００３９】
具体的に、制御部７は、洗煙水Ｗの温度が排ガスＧ１における飽和絶対湿度に基づく温度、すなわち排ガスＧ１において水蒸気が飽和する温度である例えば７８〜７９℃より高くなった場合に、制御弁９の開度を絞る方向に制御する。これにより、排水量を減少させて、洗煙水Ｗに混合させる低温排水Ｗ５の量を増加させて洗煙水Ｗの温度を低下させる。そして、制御部７は、洗煙水Ｗの温度を、後段の排熱エネルギー回収変換装置１０の稼働可能温度の下限である例えば７０℃程度まで降温させる。
【００４０】
一方、制御部７は、洗煙水Ｗの温度が後段の排熱エネルギー回収変換装置１０の稼働可能温度の下限未満になった場合、制御弁９の開度を開く方向に制御する。これにより、低温排水Ｗ５の外部への排水量を増加させて、洗煙水Ｗに混合させる低温排水Ｗ５を減少させて洗煙水Ｗの温度を向上させる。そして、制御部７は、洗煙水Ｗの温度を、後段の排熱エネルギー回収変換装置１０の稼働可能温度、例えば７０℃程度まで昇温させる。
【００４１】
ここで、下水汚泥が焼却された排ガスＧ１は、ＨＣｌ，ＳＯＸ等の成分を含む焼却ガスと水蒸気との混合ガスである。本発明者の知見によれば、これらの焼却ガスと水蒸気とは、６７：３３〜５６：４４程度で混合されている。そこで、本発明者は、洗煙水Ｗの温度を、後段の排熱エネルギー回収変換装置１０における稼働可能温度以上、排ガスＧ１の飽和絶対湿度に基づく温度未満、すなわち水蒸気が飽和する温度未満とすることによって、排ガスＧ１に含まれている顕熱の熱エネルギーに加え、排ガスＧ１に含まれている水蒸気（水分）の潜熱としての熱エネルギーを回収できることを想起した。
【００４２】
より具体的には、例えば、下水汚泥からの排ガスＧ１における絶対湿度（重量絶対湿度）は、０．５ｋｇＨ2Ｏ／ｋｇ−ＤＡ程度である。なお、重量絶対湿度とは、湿潤空気中に含まれる乾燥空気の重量に対する水蒸気の重量の比である。この場合において、例えば下水汚泥を焼却して排ガスＧ１とした場合に、飽和絶対湿度に基づく温度、すなわち排ガスＧ１中の水蒸気が飽和する温度は７８℃程度である。
【００４３】
そこで、本発明者は、洗煙水Ｗの温度を、排ガスＧ１中の水蒸気が飽和する温度未満にすれば、排ガスＧ１中の水蒸気が気相から液相に変わる際の潜熱を熱エネルギーとして回収できることを想起した。具体的には、排ガスＧ１の飽和絶対湿度に基づく温度が７８℃程度であって、排熱エネルギー回収変換装置１０が稼働する洗煙水Ｗの下限の温度が７０℃であれば、７８℃から７０℃まで降温された段階で８℃程度の温度低下分だけ飽和水蒸気量が減少する。これにより、排ガスＧ１中の水蒸気（気相）の一部が潜熱の熱エネルギーを放出しつつ水（液相）に変化する。この潜熱は、洗煙水Ｗに移動した後、洗煙熱交換器２１を介して排熱エネルギー回収変換装置１０に供給され、電力として出力される。
【００４４】
本発明者の検討によれば、洗煙水Ｗの温度が低いほど排ガスＧ１における潜熱の熱エネルギーを回収できるが、一方で洗煙水Ｗの温度が低すぎると、排熱エネルギー回収変換装置１０が稼働できない状態になる。したがって、洗煙水Ｗの温度としては、排ガスＧ１の飽和絶対湿度に基づく温度である水蒸気が飽和する温度未満、かつ排熱エネルギー回収変換装置１０が稼働可能な温度以上にする必要がある。そして、排ガスＧ１中の潜熱を最大限回収するには、洗煙水Ｗの温度を、排熱エネルギー回収変換装置１０が稼働可能な温度とする一定制御が望ましい。すなわち、この第１の実施形態においては、洗煙水Ｗの温度制御を、例えば７０℃以上７８℃未満になるような制御とし、さらに排ガスＧ１中の潜熱を最大限回収するためには、７０℃前後の温度一定制御とするのが好ましい。
【００４５】
以上説明した本発明の第１の実施形態によれば、排ガスＧ１の保有する熱エネルギーを、洗煙水Ｗを介して、洗煙循環路Ｒ上に配置された洗煙熱交換器２１によって熱エネルギーを回収して排熱エネルギー回収変換装置１０側に供給するとともに、この洗煙熱交換器２１によって冷却された洗煙冷却水Ｗ１を用いて排ガスＧ１を冷却しているため、特許文献３に記載されているような従来の排煙処理塔に比して、熱エネルギーの回収率を向上させることができる。また、この第１の実施形態においては、洗煙熱交換器２１が熱エネルギーの回収と洗煙水Ｗの冷却とを兼ねているため、上述した低温排水Ｗ５の供給に伴う熱エネルギーの損失がなく、熱エネルギーの回収率を一層向上させることができる。さらに、この第１の実施形態によれば、洗煙水Ｗの温度を、排熱エネルギー回収変換装置１０の稼働可能温度以上排ガスＧ１における飽和絶対湿度に基づく温度未満に制御していることにより、排ガスＧ１に含まれる顕熱の熱エネルギーを回収するとともに、よりエネルギー効率の良い、排ガスＧ１に含まれる水蒸気の潜熱も回収することが可能となる。
【００４６】
（第２の実施形態）
次に、本発明の第２の実施形態について説明する。図３は、本発明の第２の実施形態による排熱回収システムを含む汚泥焼却システムの概要構成を示すブロック図である。図３に示すように、この汚泥焼却システムは、焼却炉１、流動空気予熱器２、白煙防止空気予熱器３、集塵機４、排煙処理塔５、煙突６、および排熱エネルギー回収変換装置１０を有する。
【００４７】
焼却炉１は、下水汚泥を焼却するための流動焼却炉であり、８００〜８５０℃程度の高温の排ガスを出力する。なお、焼却炉１は、流動焼却炉に限らず、循環焼却炉などの他の焼却方式のガス化炉でも良い。また、焼却対象は、下水汚泥に限らない。
【００４８】
流動空気予熱器２には、焼却炉１からの排ガスが入力され、大気を例えば６５０℃の流動空気Ａ１に昇温して焼却炉１の炉底部に供給している。白煙防止空気予熱器３は、排ガス用熱交換器の一例であり、流動空気予熱器２の後段に配置され、流動空気予熱器２から出力された排ガスの熱エネルギーを用いて、煙突６から放出される排ガス中の水蒸気が白煙として見えることを防止するための加熱空気である白煙防止空気Ａ２を生成する。この白煙防止空気Ａ２は、４００℃程度である。白煙防止空気予熱器３を通った排ガスは、２００〜４００℃程度まで温度が低下する。
【００４９】
なお、温水発生器２２は、熱交換器であり、白煙防止空気Ａ２から一部の熱エネルギーを回収して排熱エネルギー回収変換装置１０に供給するとともに、温度低下した加熱空気としてブロアＢを介して煙突６に供給され、さらにブロアＢから送出される一部の加熱空気および新たな大気とが混合した加熱空気が白煙防止空気予熱器３に再供給される。また、温水発生器２２に並列接続された調節弁Ｖ１を調整することによって、温水発生器２２による白煙防止空気Ａ２からの熱回収量を調整することができる。
【００５０】
集塵機４は、白煙防止空気予熱器３の後段に配置され、白煙防止空気予熱器３から入力された排ガス内のダストを除去する。集塵機４は、耐熱性の優れたセラミック集塵機であり、白煙防止空気予熱器３を通過した排ガスをそのまま集塵することができる。なお、集塵機４は、バグフィルタを使用するものであっても良い。この場合、バグフィルタの前段に冷却塔を配置してバグフィルタの耐熱温度まで降温することが必要である。集塵機４における排ガスの温度降下は小さく、排ガスＧ１は２００〜４００℃である。
【００５１】
排煙処理塔５は塔の下部から排ガスＧ１を導入し、上部の散水ノズル５ａから散水される水に接触させて排ガスＧ１中のＨＣｌ，ＳＯＸ等の成分を洗煙水Ｗとして除去する装置である。この洗煙水Ｗは、塔内下部に溜まり、洗煙循環路Ｒおよび循環ポンプＰ１によって散水ノズル５ａに送水されて循環利用される。また、ポンプＰ１の後段には、洗煙熱交換器２１が設けられ、排煙処理塔５内の洗煙水Ｗから熱回収を行い、洗煙冷却水Ｗ１として散水ノズル５ａに送られる。この洗煙熱交換器２１で熱回収された熱エネルギーは、排熱エネルギー回収変換装置１０側に供給される。また、洗煙水Ｗの濃度上昇を抑えるため、洗煙熱交換器２１と散水ノズル５ａとの間の洗煙循環路Ｒから分岐し、洗煙冷却水Ｗ１の一部を洗煙排水Ｗ３として廃棄する。
【００５２】
ここで、上述した排煙処理塔５では、排ガスＧ１と洗煙冷却水Ｗ１とが接触するため、２００〜４００℃の排ガスＧ１の熱エネルギーのほとんどは洗煙水Ｗ側に移動する。そして、この排ガスＧ１から回収した熱エネルギーをもつ洗煙水Ｗは、洗煙熱交換器２１によって回収され、回収された熱エネルギーが排熱エネルギー回収変換装置１０側に供給される。
【００５３】
排煙処理塔５の上部には煙突６が配置され、排煙処理塔５内で洗浄された排ガスＧ２は、煙突６内で白煙防止処理が施された後、煙突６から大気に放出される。排煙処理塔５の上方であって、煙突６の前段には、処理水Ｗ４が給水され、この処理水Ｗ４と排ガスＧ２とを十分に接触させることにより、水洗浄が十分に行われるようにしている。この水洗浄済みの排水は、低温排水Ｗ５として廃棄される。
【００５４】
排熱エネルギー回収変換装置１０は、加熱空気である白煙防止空気Ａ２および排煙処理塔５の洗煙水Ｗの熱エネルギーを回収して他のエネルギーに変換する機能を有し、蒸発器１１、過熱器１２、蒸気タービン１３、凝縮器１４、発電機１５、および循環ポンプＰ４を有し、水より低沸点のフロン、代替フロン、アンモニア、あるいはアンモニアと水との混合流体などの低沸点媒体を作動媒体Ｌとして循環させたランキンサイクルやカリーナサイクルなどの熱サイクルＳを形成する。フロンや代替フロンは、低沸点であるとともに、取扱いが容易であるため、好ましい。また、アンモニアは、元々自然界に存在する無色透明の低沸点媒体で、その蒸発温度は、大気下で、−３３．３℃、４．０ＭＰａで、７９．６℃であり、熱物性が良く、また、地球温暖化係数ゼロ、オゾン層破壊係数ゼロであり、環境負荷がほとんどなく、好ましい。
【００５５】
蒸発器１１は、循環ポンプＰ２で循環する高温循環水Ｌ２を介して、洗煙熱交換器２１で回収された熱エネルギーを受け、作動媒体Ｌを蒸発させる。なお、蒸発器１１側から送られる高温循環水Ｌ２は、洗煙熱交換器２１で昇温されて蒸発器１１側に送られる。
【００５６】
過熱器１２は、循環ポンプＰ３で循環する温水Ｌ１を介して、温水発生器２２で回収された熱エネルギーを受け、作動媒体Ｌを過熱する。なお、過熱器１２側から送られる温水Ｌ１は、温水発生器２２で昇温されて過熱器１２に送られる。
【００５７】
蒸気タービン１３は、過熱器１２によって過熱された蒸気によって回転し、蒸気タービン１３の回転軸に接続された発電機１５を介して電力を出力する。なお、蒸気タービン１３の回転軸を直接あるいは間接的にファンなどの回転機器に接続し、蒸気タービン１３の回転動力として出力するようにしても良い。また、蒸気タービン１３の回転軸を直接あるいは間接的に電動機などの回転駆動機器の回転軸に接続して、回転駆動機器の回転駆動をアシストするようにしても良い。
【００５８】
凝縮器１４は、ポンプＰ５から供給される冷却水Ｗ６によって、蒸気タービン１３から出力された蒸気を凝縮し、この凝縮した作動媒体Ｌを、循環ポンプＰ４によって蒸発器１１に供給する。なお、凝縮器１４に入力される冷却水Ｗ６は例えば２０℃程度であり、この冷却水Ｗ６は、凝縮熱によって昇温する。なお、蒸発器１１を予熱器として機能させ、過熱器１２を蒸発器として機能させても良い。
【００５９】
この第２の実施形態においては、排ガスＧ１の保有する熱エネルギーを洗煙水Ｗを介して、洗煙循環路Ｒ上に配置された洗煙熱交換器２１によって熱エネルギーを回収して排熱エネルギー回収変換装置１０側に供給するとともに、この洗煙熱交換器２１によって冷却された洗煙冷却水Ｗ１を用いて排ガスＧ１を冷却しているため、特許文献３に記載されているような従来技術による排煙処理塔に比して熱エネルギーの損失をなくすことができ、熱エネルギーの回収率を向上させることができる。また、洗煙熱交換器２１が熱エネルギーの回収と洗煙水Ｗの冷却とを兼ねているため、低温排水Ｗ５の供給に伴う熱エネルギーの損失がなく、熱エネルギーの回収率を一層向上させることができる。さらに、洗煙排水Ｗ３の放出量が微量であるため、この点からも熱エネルギーの回収率を向上させることができる。なお、この第２の実施形態においては、洗煙排水Ｗ３の放出量は、排ガスＧ１内の水蒸気が凝固した水量に相当する量のみである。そして、洗煙水Ｗおよび洗煙冷却水Ｗ１の流量を増大することによって、洗煙熱交換器２１による熱エネルギーの回収率を大きくすることができるという利点を有する。
【００６０】
なお、上述した第２の実施形態においては、排煙処理塔５の壁面が断熱状態となっており、汚泥の含水率から排ガスＧ１内の水蒸気が飽和水蒸気となる温度（露点温度）は約８０℃である。したがって、排ガスＧ１を約８０℃未満にする必要がある。そのため、この第２の実施形態においては、洗煙冷却水Ｗ１と洗煙水Ｗとを８０℃未満となるようにしている。そして、この洗煙冷却水Ｗ１と洗煙水Ｗとの間の温度差に対応する熱エネルギーを回収するようにしている。
【００６１】
（変形例１）
上述した第１および第２の実施形態では排煙処理塔５に供給される処理水Ｗ４と、排熱エネルギー回収変換装置１０の凝縮器１４で昇温した水Ｗ７とは別個のものとし、水Ｗ７を廃棄していたが、本変形例１においては、図４に示すように、水Ｗ７を処理水Ｗ４として供給するようにしている。これによって、水Ｗ７の冷熱エネルギーを用いることができるため、排熱回収システム全体のエネルギー効率を向上することができる。なお、水Ｗ７は、別途設けられた冷却塔などを介して放熱し、冷却水Ｗ６として循環利用するようにしても良い。
【００６２】
（変形例２）
本変形例２においては、図５に示すように、処理水Ｗ４を、処理水Ｗ２４に強制冷却するヒートポンプ３０を設けている。そして、このヒートポンプ３０は、循環ポンプＰ１と洗煙熱交換器２１との間に設けられた開閉弁３１の両端に接続され、開閉弁３１が閉状態のときは、洗煙循環水Ｗ２がヒートポンプ３０に供給され、強制冷却に対応するエネルギー分、昇温された洗煙循環水Ｗ２２として戻り、洗煙熱交換器２１に供給される。洗煙循環水Ｗ２は、洗煙循環水Ｗ２２として洗煙熱交換器２１に入力される。この場合、洗煙循環水Ｗ２２と洗煙冷却水Ｗ１との温度差により、排熱エネルギー回収変換装置１０側に供給する熱エネルギーを大きくすることができる。なお、開閉弁３１は、開度調整できるものである。
【００６３】
また、処理水Ｗ２４の温度が低下することは、排ガスの温度がさらに低下し、排ガス内の水蒸気の凝縮量が多くなることから、排ガス内の水蒸気量が減少し、白煙防止処理に必要な加熱空気のエネルギー量を大幅に低減することができる。この結果、この低減に対応して逆に、白煙防止空気Ａ２内の熱エネルギーを大幅に排熱エネルギー回収変換装置１０に供給することができる。
【００６４】
（変形例３）
上述した第１および第２の実施形態、並びに変形例１，２では、過熱器１２が、循環ポンプＰ３で循環する温水Ｌ１を介して、温水発生器２２で回収された熱エネルギーを受け、作動媒体Ｌを加熱し、蒸発器１１が、循環ポンプＰ２で循環する高温循環水Ｌ２を介して、洗煙熱交換器２１で回収された熱エネルギーを受け、作動媒体Ｌを蒸発させるようにしていた。本変形例３では、図６に示すように、排熱エネルギー回収変換装置１０´は、循環ポンプＰ３、温水Ｌ１、過熱器１２を削除し、温水発生器２２に対して作動媒体Ｌを直接流入し、温水発生器２２を過熱器として機能させているとともに、循環ポンプＰ２、高温循環水Ｌ２、蒸発器１１を削除し、洗煙熱交換器２１に対して作動媒体Ｌを直接流入し、洗煙熱交換器２１を蒸発器として機能させている。これによって、熱交換効率を高めることができる。なお、温水発生器２２を過熱器として機能させ、洗煙熱交換器２１を蒸発器として機能させる構成は、いずれか一方であっても良い。また、洗煙熱交換器２１を予熱器として機能させ、温水発生器２２を蒸発器として機能させても良い。
【００６５】
なお、上述した第１の実施形態および第２の実施形態と、変形例１〜３の各構成要素とは、適宜組み合わせ可能である。
【００６６】
以上、本発明の実施形態について具体的に説明したが、本発明は、上述の実施形態に限定されるものではなく、本発明の技術的思想に基づく各種の変形が可能である。例えば、上述の実施形態において挙げた数値はあくまでも例に過ぎず、必要に応じてこれと異なる数値を用いても良い。
【００６７】
例えば上述の第１の実施形態においては、下水汚泥の焼却を行う例について説明したが、下水汚泥以外を焼却する場合においては、上述する排ガスＧ１に含まれる乾燥ガスと水蒸気との比率は変化する。また、排熱エネルギー回収変換装置１０の稼働可能温度も装置ごとに異なる温度である。そのため、使用する排熱エネルギー回収変換装置１０に応じて、また焼却する材料に応じて、洗煙水Ｗの制御すべき温度を変更することが望ましい。
【符号の説明】
【００６８】
１  焼却炉
２  流動空気予熱器
３  白煙防止空気予熱器
４  集塵機
５  排煙処理塔
５ａ  散水ノズル
６  煙突
７  制御部
８  温度センサ
９  制御弁
１０，１０´  排熱エネルギー回収変換装置
１１  蒸発器
１２  過熱器
１３  蒸気タービン
１４  凝縮器
１５  発電機
２１  洗煙熱交換器
２２  温水発生器
３０  ヒートポンプ
３１  開閉弁
Ｇ１，Ｇ２  排ガス
Ａ１  流動空気
Ａ２  白煙防止空気
Ｓ  熱サイクル
Ｌ  作動媒体
Ｌ１  温水
Ｌ２  高温循環水
Ｒ  洗煙循環路
Ｗ  洗煙水
Ｗ１  洗煙冷却水
Ｗ２，Ｗ２２  洗煙循環水
Ｗ３  洗煙排水
Ｗ４，Ｗ２４  処理水
Ｗ５  低温排水
Ｗ６  冷却水
Ｗ７  水
Ｖ１  調節弁
Ｂ  ブロア
Ｐ１〜Ｐ４  循環ポンプ
Ｐ５  ポンプ
【図１】
2013213658.tif 000003
【図２】
2013213658.tif 000004
【図３】
2013213658.tif 000005
【図４】
2013213658.tif 000006
【図５】
2013213658.tif 000007
【図６】
2013213658.tif 000008